(57)【要約】【課題】紙の被転写面の縁ぎりぎりに、紙の縁から食み出ることなく糊を転写できる糊転写具を提供する。【解決手段】糊転写具は、テープＴを被転写面に対して転写する転写ローラ３２０を備えている。転写ローラ３２０付近には、紙Ｐを係止するための案内部材３３０が設けられている。案内部材３３０は、紙Ｐを係止するための、延伸部３３８Ａと顎部３３８Ｂとからなる案内部３３８を備えている。ユーザは、顎部３３８Ｂを紙Ｐの下に差し込んで、糊転写具を後方に引くことで、紙Ｐの縁ぎりぎりに、紙Ｐから食み出ることなく、糊Ｇを転写することができる。【選択図】図１７
2016210125.tif 000002
【特許請求の範囲】
【請求項１】
その片面に層状の糊が転写可能に設けられた長尺のテープが巻き付けられたリールである第１リールと、
前記第１リールから送られた前記テープを、所定の平面の上に置かれた紙の前記糊を転写すべき面である被転写面に対して押圧することで、前記テープの前記糊を前記被転写面に対して転写する転写部材と、
前記転写部材で前記糊が転写された後の前記テープを巻き取るリールである第２リールと、
前記第１リール、前記第２リール、及び前記転写部材が取付けられた本体と、
を備えている糊転写具であって、
前記本体には、
前記被転写面を有する紙の縁と係止することが可能とされ、前記転写部材を前記被転写面の縁に沿って移動させる際に、前記転写部材を前記被転写面の前記縁に沿って案内する案内部材と、
前記案内部材をその弾性力により前記転写部材が存在する前側に付勢し、且つその弾性力に抗して前記案内部材を押すことで前記案内部材を後側に移動できるようにする弾性体と、
が設けられているとともに、
前記案内部材は、前記転写部材を前記被転写面の縁に沿わせずに移動させるときにおいては、紙の下側にある前記平面に押されて後方に移動するようになっている、
糊転写具。
【請求項２】
前記案内部材は、前向きの力がかかったときに前記弾性体からの弾性力に抗して前方に移動し、前向きの力がなくなると前記弾性体の弾性力により元の位置に戻るようになっている、
請求項１記載の糊転写具。
【請求項３】
前記弾性体は、前記案内部材と一体とされている、
請求項１又は２記載の糊転写具。
【請求項４】
前記案内部材の前記紙の縁を係止する部分である案内部は、前記案内部材に力がかかっていない状態では、前記本体の予定された進行方向における前記転写部材の前側に位置するようになっている、
請求項１記載の糊転写具。
【請求項５】
前記案内部材は、それにより前記紙の縁を係止した状態で前記テープから前記被転写面に前記糊を転写したときに、前記案内部材で係止された前記紙の縁に近い側の転写された前記糊の縁から、前記案内部材で係止された前記紙の縁までの距離が５ｍｍ以内となるようになっている、
請求項１記載の糊転写具。
【請求項６】
前記転写部材のうちの前記テープと接触する部分である転写部の前記テープの幅方向の長さは前記テープの幅と同じかそれよりも長くなっているとともに、前記転写部の幅方向の両側は、前記テープとその幅方向で完全に重複するか、前記テープの幅方向の両側から食み出るようになっており、
前記案内部材のうち前記紙の縁を係止する部分である案内部は、前記転写部材の幅方向の端部付近に位置するようになっている、
請求項１記載の糊転写具。
【請求項７】
前記案内部は、前記転写部材の幅方向の端部付近の両側に２つ設けられている、
請求項６記載の糊転写具。
【請求項８】
前記案内部は、前記紙の縁をその両面から挟み込めるようにされた、断面コの字型の溝である、
請求項４、６又は７記載の糊転写具。
【請求項９】
前記本体は、
前記第１リール、前記第２リール、前記転写部材、及び前記案内部材が取付けられたリフィルと、
前記リフィルを着脱自在に収納可能とされたケースと、
を備えている、
請求項１記載の糊転写具。
【請求項１０】
請求項９記載のリフィル。
【発明の詳細な説明】
【技術分野】
【０００１】
本発明は、テープの片面に剥離可能な状態で設けられた層状の糊を所定の被転写面に転写するために用いられる糊転写具に関する。
【背景技術】
【０００２】
長尺のテープの片面に転写可能な状態で設けられた層状の糊を所定の被転写面に転写するために用いられる糊転写具が実用されている。
糊は、液体の場合も固体の場合も半固体の場合もあるが、いずれの場合でも層状であり、固体の場合では膜状である。また、糊はテープの片面に全体として一体の層を形成する場合もあるが、例えば、多数のドット状にされるなど、分割されている場合もある。
【０００３】
糊転写具は通常、長尺のテープを供給するためのリールである第１リールと、第１リールからテープを供給され、テープに設けられた糊を、デスクの天板の上等の所定の平面に置かれた紙の糊を転写されることが予定された面である被転写面に転写するための転写部材と、転写部材を通過した言わば使用済みと言えるテープを回収するためのリールである第２リールとを備えており、これらをケースに取付けたものとなっている。
通常、第１リールと、第２リールとは、ケースの内部に収納されている。他方転写部材は、少なくとも糊転写具の使用時においては、ケースの外部に位置するようになっている。
【発明の概要】
【発明が解決しようとする課題】
【０００４】
かかる糊転写具は一般に、液体状の或いはスティック状の糊と比較すれば、例えば、使用するユーザの手、デスクや周囲にある他の紙等を糊で汚す可能性が殆ど無いという利点があり、今後益々の普及が見込まれている。
しかしながら、糊転写具にも改善すべき点がないわけではない。
糊転写具を用いて被転写面に対して糊を転写する場合に、被転写面の縁部に沿うようにして被転写面に糊を転写したい、という状況がままある。例えば、矩形の紙のある一辺に沿って糊を転写したい場合、封筒の開口付近に設けられたべろの縁に、べろの長さ方向に沿って直線的に糊を転写したい場合等がある。
糊転写具は一般に、被転写面に対して直線的に糊を転写するのは得意であるから、上述の如き被転写面の縁部に沿っての糊の転写には比較的向いてはいる。
しかしながら、糊転写具によって被転写面の縁部に沿うようにして被転写面に糊を転写しようとしたときに、糊が被転写面から食み出る可能性を完全に排除することは難しい。そしてそのような事態が生じると、ユーザの手や周囲にある紙等を汚さないという糊転写具の利点が損なわれてしまう。また、被転写面を有する紙等を支持する平面を汚さないようにするために、被転写面を有する紙等の下に他の台紙を敷くことも考えられるが、そうすると糊転写具の手軽さが損なわれることがある。
【０００５】
本願発明は、被転写面の縁部に沿った糊の転写を確実に、しかも手軽に行えるような糊転写具を提供することをその課題とする。
【課題を解決するための手段】
【０００６】
上述の課題を解決するため、本願出願人は以下の発明を提案する。
本願発明は、その片面に層状の糊が転写可能に設けられた長尺のテープが巻き付けられたリールである第１リールと、前記第１リールから送られた前記テープを、所定の平面の上に置かれた紙の前記糊を転写すべき面である被転写面に対して押圧することで、前記テープの前記糊を前記被転写面に対して転写する転写部材と、前記転写部材で前記糊が転写された後の前記テープを巻き取るリールである第２リールと、前記第１リール、前記第２リール、及び前記転写部材が取付けられた本体と、を備えている糊転写具である。
以上に記載の糊転写具は、要するに、背景技術の欄で説明した、一般的な糊転写具である。
そして、本願の糊転写具の前記本体には、前記被転写面を有する紙の縁と係止することが可能とされ、前記転写部材を前記被転写面の縁に沿って移動させる際に、前記転写部材を前記被転写面の前記縁に沿って案内する案内部材と、前記案内部材をその弾性力により前記転写部材が存在する前側に付勢し、且つその弾性力に抗して前記案内部材を押すことで前記案内部材を後側に移動できるようにする弾性体と、が設けられている。そして、前記案内部材は、前記転写部材を前記被転写面の縁に沿わせずに移動させるときにおいては、紙の下側にある前記平面に押されて後方に移動するようになっている。
本願の糊転写具は、上述のように、案内部材を備えている。案内部材は、被転写面を有する紙の縁と係止することが可能にされており、転写部材を前記被転写面の縁に沿って移動させる際に、転写部材を前記被転写面の前記縁に沿って案内するものとなっている。この糊転写具は、かかる案内部材を有するため、糊を被転写面の縁に沿って転写したい場合においては、案内部材を紙の糊の転写される縁に係止させることによって、紙の縁に沿って移動する転写部材と紙のその縁との距離を一定に保つことができるようになる。これによって、糊を、被転写面の縁ぎりぎりに確実に転写することができるようになるとともに、糊が被転写面の縁から食み出ることもなくなる。被転写面の縁のぎりぎりに糊を転写する場合においても、台紙などの他の手段を要しないので、この糊転写具は手軽である。
他方、上述の案内部材は、それが余りにも前方に張り出していると、それが被転写面に干渉して、場合によっては転写部材がテープを被転写面に対して押圧することを妨げる恐れがある。特に、転写部材を被転写面の縁に沿わせずに移動させるときには、案内部材と被転写面とが干渉して、転写部材によってテープを被転写面に押圧することでテープの糊を被転写面に対して転写するのが困難となることが考えられる。それを防止するために本願発明では、案内部材を、転写部材を被転写面の縁に沿わせずに移動させるときにおいては、紙の下側にある平面に押されて後方に移動するようにしている。そのような、案内部材と被転写面とが干渉する場合に、案内部材が、ユーザの特段の操作がなくても自動的に後方に移動するようにすることで、被転写面の縁に沿って転写部材を移動させるときであっても、被転写面の縁に沿わずに転写部材を移動させるときであっても、ユーザは特に意識的にその使用の方法を変えることなく、糊転写具を使用することができ、いずれの場合においても、意図した通りに被転写面へ糊を塗布することができることになる。
つまり、本願発明の糊転写具は、被転写面の縁部に沿った糊の転写を確実に、しかも手軽に行えるものであるとともに、被転写面の縁部に沿わない糊の転写をも、確実に手軽に行え、且つそれらの使い分けを行うに際して、ユーザに意図的な操作を強いないものとなる。
【０００７】
本願発明の案内部材は、上述したように、転写部材を被転写面の縁に沿わせずに移動させるときにおいては、紙の下側にある平面に押されて後方に移動するようになっている。
これに加えて、前記案内部材は、前向きの力がかかったときに前記弾性体からの弾性力に抗して前方に移動し、前向きの力がなくなると前記弾性体の弾性力により元の位置に戻るようになっていても良い。転写部材を被転写面の縁に沿わせて移動させるときにおいては、特に、糊転写具を被転写面に対して立てて使用した場合には、案内部材によって係止されている紙の縁が案内部材によって上方に持ち上げられてしまう場合がある。そのようなことが生じると、紙の縁に折り目がついたり、場合によっては紙の縁が破損するおそれもある。
案内部材が前方にも移動できるようになっていれば、そのような不具合を解消することができる。
【０００８】
本願発明における弾性体は、前記案内部材と一体とされていてもよい。案内部材には限らないが、糊転写具は一般に、その多くの部品が樹脂でできている。そして、樹脂による部品には、その設計により、ある程度の弾性を持たせることが可能となる場合が多い。したがって、弾性体と案内部材を一体とすることも可能であり、そうすることにより、部品点数を削減することが可能となり、糊転写具の製造コストの低コスト化を図ることができるようになる。
【０００９】
案内部材は、転写部材を被転写面の縁に沿って移動させる際に、転写部材を被転写面の縁に沿って案内するものであり、それが可能な限りどこに本体のどこに取付けられていても構わない。
例えば、案内部材は、より詳細には、前記案内部材の前記紙の縁を係止する部分である案内部は、前記本体の予定された進行方向における前記転写部材の前側に位置するようになっていてもよい。
案内部は、転写部材を被転写面の縁に沿って移動させる際に、紙の縁を係止するところである。そのため、転写部材を被転写面の縁に沿わさずに移動させる際においても、紙に対して当接する可能性がある。案内部が本体の予定された進行方向における転写部材の後側に位置すると、案内部が、紙に転写された糊に当接する場合がある。他方、案内部が本体の予定された進行方向における転写部材の前側に位置すれば、糊は、進行する案内部の後方で紙に転写されることになるから、案内部が糊に接触することがない。
【００１０】
前記案内部材は、それにより前記紙の縁を係止した状態で前記テープから前記被転写面に前記糊を転写したときに、前記案内部材で係止された前記紙の縁に近い側の転写された前記糊の縁から、前記案内部材で係止された前記紙の縁までの距離が５ｍｍ以内となるようになっていてもよい。
もちろん、糊の縁から紙の縁までの距離がもっと近く、例えば１ｍｍ以内を保つようになっていても構わないし、その方がユーザは紙の縁のギリギリの部分に糊を転写しているという感覚をより強く得ることができるが、糊の縁から紙の縁までの距離を５ｍｍ程度の近さに保てると、ユーザは紙の縁のギリギリの部分に糊を転写しているという感覚を得ることができる。
前記転写部材のうちの前記テープと接触する部分である転写部の前記テープの幅方向の長さは前記テープの幅と同じかそれよりも長くなっているとともに、前記転写部の幅方向の両側は、前記テープとその幅方向で完全に重複するか、前記テープの幅方向の両側から食み出るようになっており、前記案内部材のうち前記紙の縁を係止する部分である案内部は、前記転写部材の幅方向の端部付近に位置するようになっていてもよい。そうすることで、案内部により案内される紙の縁のすぐ近くに、テープを紙の被転写面に押圧する転写部を位置させることが可能となるので、紙の縁のギリギリの部分に糊を転写させることが可能となる。
前記案内部は、前記転写部材の幅方向の端部付近の両側に２つ設けられていてもよい。これによれば、ユーザは、所定の紙の縁に対していずれの案内部を係止させるかを選択することにより、当該紙の縁に対して糊を転写する場合における糊転写具の移動方向を、当該紙の縁に沿う２つの方向のうちから任意に選択できるようになる。
案内部材における案内部は、紙の縁を係止できるようなものであり、且つ紙の縁を係止したまま紙の縁を移動させることができるようなものである。例えば、前記案内部は、前記紙の縁をその両面から挟み込めるようにされた、断面コの字型の溝であっても良い。
【００１１】
本願発明における糊転写具における前記本体は、前記第１リール、前記第２リール、前記転写部材、及び前記案内部材が取付けられたリフィルと、前記リフィルを着脱自在に収納可能とされたケースと、を備えていても良い。
従来の糊転写具には、本体を、第１リール、第２リール、転写部材とを備えたリフィルと、リフィルを着脱自在に収納するケースとを備えたものがある。このようなリフィルとケースとを備えた糊転写具は、リフィルを交換することによりケースを長く使用することが可能なものであり、ユーザにとって便利であるため、広く普及している。他方、上述したように、案内部材は本体のどこに設けられていても構わない。したがって、本体がリフィルとケースとを有するものである場合には、リフィルとケースのいずれにも案内部材を取付けることが可能である。
ところで、案内部材と、転写部材の相対的な位置関係は、出来る限り正確に位置決めされる必要がある。両者の位置関係に変更があると、例えば、案内部材に係止される紙の縁と転写部材との相対的な位置関係に変更が生じて、紙の縁に正確に糊を転写できなくなるおそれがあるからである。ケースに案内部材を取付け、その一部に転写部材を含むリフィルをケースに対して着脱自在とした場合には、リフィルを交換した場合に、案内部材と、転写部材との相対的な位置関係に変化が生じる可能性がある。他方、案内部材と転写部材とをともにリフィルに設けた場合には、ケースに対するリフィルの交換をしたとしても、リフィルが正確に製造されてさえいれば、案内部材と転写部材との相対的な位置関係が変更されることはない。
これは、リフィル交換式の糊転写具を実用的なものとするに寄与する。
【図面の簡単な説明】
【００１２】
【図１】この発明の実施形態における糊転写具の外観を示す斜視図。
【図２】図１に示した糊転写具の右側面図。
【図３】図１に示した糊転写具の左側面図。
【図４】図１に示した糊転写具の平面図。
【図５】図１に示した糊転写具の底面図。
【図６】図１に示した糊転写具の正面図。
【図７】図１に示した糊転写具の背面図。
【図８】図１に示した糊転写具に含まれる蓋部材の斜視図。
【図９】図１に示した糊転写具に含まれるリフィルを示す斜視図。
【図１０】図９に示したリフィルに含まれるリフィル本体の斜視図。
【図１１】図１０に示したリフィル本体に案内部材を取付けた状態を示す斜視図。
【図１２】図９に示したリフィルからリフィル本体と案内部材を除去した状態を示す斜視図。
【図１３】図１に示した糊転写具に含まれるケースに対してリフィルが前後に移動する仕組みを示す、概略的な右側面図。
【図１４】図１に示した糊転写具の前方孔付近の構成を拡大して示す斜視図。
【図１５】図１に示した糊転写具に含まれる案内部材をその上方から見た状態を拡大して示す斜視図。
【図１６】図１に示した糊転写具により被転写面の縁以外の部分に糊を転写する方法を示す側面図。
【図１７】被転写面の縁に糊を転写する場合の糊転写具を、透明として示した紙の裏面側から示した斜視図。
【図１８】変形例における糊転写具におけるリフィルの前方部分の底面図。
【発明を実施するための形態】
【００１３】
以下、図面を参照しつつ、本発明の好ましい一実施形態を説明する。
【００１４】
この実施形態における糊転写具の外観を図１の斜視図に示す。また、糊転写具の右側面図を図２に、左側面図を図３に、平面図を図４に、底面図を図５に、正面図を図６に、背面図を図７に、それぞれ示す。
【００１５】
この糊転写具は、テープの片面に層状に設けられた糊の層を、例えば紙である被転写面に転写するものである。後述する案内部材が存在することを除けば、この糊転写具は、公知、或いは周知の極一般的な糊転写具と同じように構成されていても構わず、この実施形態の糊転写具はそうされている。
【００１６】
糊転写具は、ケース１００を備えている。ケース１００は、いずれも樹脂製の左右２つの部材でできている。糊転写具を正面から見たときに右に位置する部材が右ケース部材１１０、左に位置する部材が、左ケース部材１２０である。右ケース部材１１０、左ケース部材１２０ともに、それらの互いに対向する面が窪んでいる。右ケース部材１１０と左ケース部材１２０とを結合させて構成されるケース１００は、その内部が、通常の糊転写具のケースがそうであるように、中空になっている。ケース１００の中には後述するリフィルを含む種々の部材が収納される。
【００１７】
ケース１００の前面やや下よりには、矩形の前方孔１３０が設けられている。前方孔１３０は、後述する転写部をケース内外で移動させるためのものである。後述するように、糊転写具を使用する場合には、転写部は、前方孔１３０を介して、ケース１００の内部からケース１００の前方側の外部へ移動させられるようになっている。
ケース１００の上側には板状で略矩形の上プッシュ板１４１がケース１００の下側には板状で略矩形の下プッシュ板１４２が、それぞれ設けられている。上プッシュ板１４１、下プッシュ板１４２はともに、右ケース部材１１０にその基端を取付けられている。また、上プッシュ板１４１、下プッシュ板１４２は、それらを同時に押すことで、右ケース部材１１０と、左ケース部材１２０とを分離させることができるようになっている。右ケース部材１１０と、左ケース部材１２０とを分離させるようにするための仕組みについては、周知技術を適当に用いれば良いから、詳細な説明は行わない。右ケース部材１１０と左ケース部材１２０とを分離可能としているのは、後述するリフィルの交換をユーザが自ら行えるようにするためである。ユーザは、右ケース部材１１０と左ケース部材１２０とを分離させ使用済みのリフィルを取出し、新しいリフィルを左ケース部材１２０に取付けた後再び、右ケース部材１１０と左ケース部材１２０とを結合させることで、リフィルの交換を行えるようになっている。
ケース１００の左ケース部材１２０の内側面には、ケース１００の内側方向に小さな長さで突出する、これには限られないが円柱状の、図示を省略のガイド棒が設けられている。
【００１８】
ケース１００の右側面には、所定の円の一部をなす弧状の孔である側面孔１５１が設けられている。側面孔１５１は、後述する蓋部材の摘みを貫通させるためのものである。側面孔１５１はそれが可能なような形状となっている。
ケース１００の右側面には、また、小さな孔である小側面孔１５２が設けられている。小側面孔１５２は、製造工程状の必要性から設けられているものであり、特に役割を担っていない。
【００１９】
ケース１００内に収納されるのは、蓋部材とリフィルである。
まず、蓋部材２００について説明する。蓋部材２００の斜視図を、図８に示す。
蓋部材２００は、上述した側面孔１５１を開閉するとともに、後述するリフィルをケース１００に対して前後させるためのものである。
蓋部材２００は、これには限られないがこの実施形態では樹脂製の一体ものであり、その中心に円形の孔の空いた、円板状より正確にはドーナツ状の板であるの回転板２１０と、その回転板２１０とリブ２２０を介して接続されている、その断面が弧状とされた板である蓋板２３０とを備えて構成されている。
後述するように蓋部材２００はケース１００に対して取付けられるが、蓋部材２００がケース１００に取付けられた場合における回転板２１０の外側面には、摘み２１１が設けられている。摘み２１１は、それを摘んだ状態で、ユーザが回転板２１０を回転させる際に用いられるものである。摘み２１１は、ユーザが摘みやすい形状、大きさとなっている。
蓋部材２００がケース１００に取付けられた場合における回転板２１０の内側面には、円柱状のピン２１２が設けられている。
蓋部材２００は、ケース１００の右ケース部材１１０の内側面から内向きに突出するようにして設けられた、円柱状の、図示を省略の軸に対して、その軸を回転板２１０の孔に挿入した状態で取付けられている。このとき、蓋部材２００における回転板２１０の外側面は、右ケース部材１１０の内側面に略沿った状態となり、摘み２１１は、ケース１００の右側面に設けられた側面孔１５１を貫通して、ケース１００の右側面の外部に露出した状態となる。
蓋部材２００は、上述の軸を中心として、回転可能となっている。ユーザは、ケース１００の右側面の外部に露出した摘み２１１を摘んで、蓋部材２００をケース１００に対して回転させることができる。
なお、蓋部材２００は、ケース１００の右ケース部材１１０に対して回転可能ではあるが、右ケース部材１１０からは脱落しないようにして、右ケース部材１１０に取付けられている。かかる脱落防止の技術については、周知又は公知の技術を用いれば良いので、詳細な説明は省略する。
【００２０】
リフィルについて、図９から図１５を用いて説明する。なお、リフィルと、ケース１００とを合わせたものが、本願で言う本体である。
リフィル３００は、図９の斜視図に示されたように、リフィル本体３１０に対して、種々の部品を組み付けて構成されている。
リフィル本体３１０のみを図１０に示す。リフィル本体３１０は、右側の板である右リフィル板３１１と、左側の板である左リフィル板３１２とを備えている。右リフィル板３１１と、左リフィル板３１２は、略同じ形状をしている。右リフィル板３１１と、左リフィル板３１２は、板状である接続板３１３と、それぞれ棒状である第１軸３１４及び第２軸３１５とにより、互いに平行となるようにして接続されている。第１軸３１４には、後述する第１リールが、第１軸３１４を回転の軸として回転可能に取付けられる。第２軸３１５には、後述する第２リールが、第２軸３１５を回転の軸として回転可能に取付けられる。
右リフィル板３１１の外側面の前方寄りには、円の一部をなす弧状の円切欠き３１１Ａが設けられている。円切欠き３１１Ａがその一部をなす円の径は、蓋部材２００における回転板２１０の径に等しい。後述するように、リフィル３００は、ケース１００に対して前後動する。リフィル３００が後方に下がったときに、回転板２１０の後側が円切欠き３１１Ａに嵌り込むようになっている。
右リフィル板３１１の外側面の後方よりには、円形と小判型を組合せたような凹部３１１Ｂが設けられている。凹部３１１Ｂの前方寄りの部分には、後述する伝達ギアが嵌め込まれるようになっている。凹部３１１Ｂの前方寄りの部分の中心には、回転可能とされた伝達ギアの軸となる円筒形の第３軸３１１Ｂ１が設けられている。凹部３１１Ｂの後方寄りの部分には、後述する第２リールに接続された、これも後述する第２ギアが嵌り込むようになっている。また、凹部３１１Ｂの最も前方側の部分には、円弧に沿った三日月状の切欠きが設けられているとともに、凹部３１１Ｂの側壁のうちその三日月状の切欠きの弧の部分に対応する部分の壁は取り除かれており、それらは一連の孔である連通孔３１１Ｂ２となっている。連通孔３１１Ｂ２は、後述する第１リールと接続されたこれも後述する第１ギアと、後述する伝達ギアとを噛み合わせるための空間を作るためのものである。
また、図示を省略するが、左リフィル板３１２の外側面には、その前後方向に走る溝が設けられている。溝の幅は、左ケース部材１２０の内側面に設けられた、上述のガイド棒の幅と略等しくされている。リフィル３００がケース１００内に収められたとき、リフィル３００に設けられた上述の溝にガイド棒が嵌り合う。それにより、リフィル３００は、ケース１００に対して、溝に沿う方向、つまりその前後方向にのみ移動可能となり、その移動方向が規制されるようになっている。
右リフィル板３１１の円切欠き３１１Ａの前側に位置する部分には、リフィル３００を右から見た場合に略逆Ｓ字型に湾曲する孔であるＳ字孔３１１Ｃが設けられている。リフィル３００がケース１００に収納されたとき、蓋部材２００における回転板２１０の内側面に設けられた上述のピン２１２は、Ｓ字孔３１１Ｃに挿入されるようになっている。ピン２１２とＳ字孔３１１Ｃは、その組合せにより、リフィル３００のケース１００に対する前後動を実現する。
【００２１】
図１３を用いて、リフィル３００がケース１００に対して前後動する原理を説明する。
上述したように、蓋部材２００のピン２１２はリフィル３００のＳ字孔３１１Ｃに挿入されている。そして、蓋部材２００の摘み２１１は、ケース１００の右側面から外部に露出している。
また、蓋部材２００は、ケース１００に対して回転可能となっているが、その回転板２１０の中心は、ケース１００によって軸支されており、ケース１００に対して移動しないようになっている。
ここで、ユーザが摘み２１１を摘んで、回転板２１０を、図１３（Ａ）の位置から、同図で矢視した方向に回転させたとする。そうすると、Ｓ字孔３１１Ｃの中に挿入されているピン２１２は、回転板２１０が回転するのにともなって回転板２１０共に回転移動し、図１３（Ａ）に示された上側の位置から、図１３（Ｂ）に示された下側の位置にＳ字孔３１１Ｃの長さ方向に沿ってＳ字孔３１１Ｃの中を移動する。それに伴い、ピン２１２がＳ字孔３１１Ｃの後方の縁を後方に押すので、Ｓ字孔３１１Ｃを有するリフィル３００は、ケース１００に対して後方に移動する。このとき、ピン２１２が移動する過程で、Ｓ字孔３１１Ｃの縁にはピン２１２から上下方向の力も加わるが、上述したように、リフィル３００のケース１００に対する移動の方向は、リフィル３００に設けられた上述の溝と、ケース１００に設けられた上述のガイド棒との組合せにより、前後方向のみに規制されている。したがって、上述のピン２１２の移動により、リフィル３００は、ケース１００に対して後方にのみ移動することになる。
他方、摘み２１１を、図１３（Ｂ）に示した位置から、図１３（Ａ）に示した位置に移動させた場合には、リフィル３００は、ケース１００に対して前側に移動する。
リフィル３００が前方に移動した図１３（Ａ）に示した状態では、リフィル３００前方の後述する転写部は、ケース１００の前方の前方孔１３０から、ケース１００の前方に露出している。他方、リフィル３００が後方に移動した図１３（Ｂ）に示した状態では、リフィル３００の転写部は、ケース１００の前方孔１３０を通って、ケース１００の内部に収納されている。
なお、上述したように蓋部材２００は、蓋板２３０を備えている。リブ２２０を介して回転板２１０に接続されている蓋板２３０は、回転板２１０が回転すると、それに伴って回転移動する。蓋板２３０は、ケース１００の内部に位置するものであるが、リフィル３００が前方に移動した図１３（Ａ）に示した状態では、前方孔１３０の上側に位置し、前方孔１３０を開放している。他方、リフィル３００が後方に移動した図１３（Ｂ）に示した状態では、前方孔１３０に対応する部分に位置することにより、前方孔１３０を塞いでいる。
つまり、これには限られないが、この実施形態では、ユーザが摘み２１１を回転させると、リフィル３００の前後動と、蓋板２３０による前方孔１３０の開閉が、連動して実行されるようになっている。
【００２２】
上述したように、ケース１００に対してリフィル３００が前方に移動した場合に、リフィル３００の前方の端部がケース１００の前方孔１３０からケース１００の前側に露出する。ケース１００に対して前方に移動したリフィル３００のうち、ケース１００から露出している部分が、テープに付着した糊を所定の対象面に転写する機能を有する、本願発明でいう転写部である。
左リフィル板３１２の内側面の先端付近には、左リフィル板３１２の内側面に対して垂直な接続柱３１６と、接続柱３１６を前後に跨ぐようにして接続柱３１６に対して取付けられた第２接続板３１７とが接続されている。接続柱３１６の他端側には、左リフィル板３１２の先端部分と略同一の形状とされた先端板３１８が設けられている。先端板３１８の内側面は、接続柱３１６のみならず、第２接続板３１７にも接続されており、また、その外側面は、右リフィル板３１１の内側面に沿う状態となっている。
先端板３１８の先端と、左リフィル板３１２の先端とにはそれぞれ、内側に向かって幅広となるような溝状に構成された軸受け３１１Ｄ、３１２Ｄが設けられている。
ケース１００に対してリフィル３００が前方に移動した場合における、前方孔１３０から露出したリフィル３００の前方の端部を拡大した図１４に示したように、軸受け３１１Ｄ、３１２Ｄは、転写ローラ３２０の両端のローラ軸３２１を支持するものである。転写ローラ３２０は、円柱形状であり、その外周に沿って後述するように移動するテープに付着した糊を、テープを被転写面に対して押圧することで、被転写面に転写するものである。ローラ軸３２１は円柱形状であり、転写ローラ３２０の両端に転写ローラ３２０と同軸になるようにして設けられている。ローラ軸３２１は、軸受け３１１Ｄ、３１２Ｄに回転可能に軸支されており、それにより転写ローラ３２０は回転可能になっている。
なお、テープを被転写面に押圧するための部材は、必ずしも転写ローラ３２０の如き回転可能な部材ではなくてもよく、例えば単なるヘラのようなものでも良い。
【００２３】
図１０に示したように、左リフィル板３１２の接続柱３１６と接続されている部分の下方寄りの位置には、前後方向に走る溝であるガイド溝３１２Ｅが設けられている。他方、右リフィル板３１１の先端に取付けられた上述の先端板３１８の内側面にも、図示を省略するが、溝が設けられている。この溝は、リフィル本体３１０を側面視した場合に、対応する位置に存在するようになっている。ガイド溝３１２Ｅ及び先端板３１８の内側面に設けられた溝はともに、後述する案内部材における案内部の前後動を補助するものである。
左リフィル板３１２の下方のガイド溝３１２Ｅのやや後方には、左リフィル板３１２の厚みを増して、或いは左リフィル板３１２の内側面を突出させて形成された、略直方体形状の係止部３１２Ｆが設けられている。係止部３１２Ｆは、後述する案内部材の後端の位置を位置決めするものである。
【００２４】
次に案内部材について説明する。
図９、図１１に示したように、リフィル本体３１０には、案内部材３３０が取付けられている。図１１は、リフィル本体３１０に案内部材３３０のみを取付けた状態を示す図である。また、案内部材３３０をその上方から見た状態を拡大して示す斜視図を、図１５に示す。
案内部材３３０は、その全体が樹脂製の一体物となっており、平面視矩形の板である矩形板３３１を備えている。矩形板３３１には、その幅方向を長手方向とする略小判型の小判孔３３２が、前後に２つ設けられている。また、矩形板３３１の小判孔３３２の後方には、Ｕ字型の切欠きであるＵ字切欠きＵ字切欠き３３３が設けられている。案内部材３３０のＵ字切欠き３３３の更に後方に位置する部材の先端には、正面から見て略正方形の板である係止板３３４が設けられている。
案内部材３３０における矩形板３３１の幅方向の両側にはそれぞれ、上方に向かって伸びる板である、側板３３５がそれぞれ設けられている。両側板３３５の最も下方に位置する部分の外側には、その下面が矩形板３３１の下面と面一とされた、受け部３３６が、外側に出っ張るようにして設けられている。両側板３３５の受け部３３６の上側に位置する部分の外側には、外側に向かって張り出す突出部３３７が設けられている。
案内部材３３０の幅方向の両先端側には、案内部３３８が設けられている。案内部３３８は、後述するようにして紙の縁に係止され、紙の縁を案内の基準として用いることにより、ユーザが紙の縁に沿って糊転写具を移動させる際に、糊転写具の特に転写部を紙の縁に沿って案内するためのものである。案内部３３８は、矩形板３３１の幅方向の両端から前側に向かって伸びている延伸部３３８Ａと、その先端に内向きに曲折するようにして接続された、顎部３３８Ｂとを備えている。２つの案内部３３８にはともに、矩形板３３１の前面と、延伸部３３８Ａの内側面と、顎部３３８Ｂの背面とによって３方を囲まれた溝が形成されることになる。これら溝は、糊転写具が使用され、テープから被転写面に糊が転写されるときにおいては、糊転写具の進行方向における前後方向に伸びるものとなる。これら２つの溝の幅は、その間に、被転写面を有する紙の縁を通せるのに十分なものとされていれば足り、これには限られないが、この実施形態では１ｍｍ内外とされている。
【００２５】
案内部材３３０は、以下のようにして、リフィル本体３１０に取付けられている。
案内部材３３０は、その両側に位置する突出部３３７を、左リフィル板３１２のガイド溝３１２Ｅと、右リフィル板３１１の先端、内側に取付けられた先端板３１８の内側面に設けられた上述の図示せぬ溝に挿入することにより、リフィル本体３１０に取付けられる。突出部３３７は、ガイド溝３１２Ｅ及び上述の溝に、それらから脱落しないように支持される。他方、突出部３３７は、ガイド溝３１２Ｅ及び上述の溝の中を前後に摺動可能となる。これにより、案内部材３３０はリフィル本体３１０から、脱落しない状態となる。
案内部材３３０がリフィル本体３１０に取付けられたときには、２つの側板３３５の外側面が、左リフィル板３１２の内側の面と、先端板３１８の内側の面とにそれぞれ当接した状態となるとともに、２つの受け部３３６の上側の面が、左リフィル板３１２の下側の面と、先端板３１８の下側の面とにそれぞれ当接した状態となる。
また、案内部材３３０がリフィル本体３１０に取付けられたときには、その係止板３３４の背後の面が、左リフィル板３１２の下方に設けられた係止部３１２Ｆの前側の面に係止されるようになっている。これにより、案内部材３３０のＵ字切欠きＵ字切欠き３３３の更に後方に位置する部材は、それ以上後方には下がれないようになっている。
また、案内部材３３０がリフィル本体３１０に取付けられたとき、案内部３３８は、転写ローラ３２０の左右方向の幅の両端部分に略位置するとともに、転写ローラ３２０の被転写面と当接することが予定された部分よりも幾らか後方に位置するようになっている。
【００２６】
このようにしてリフィル本体３１０に取付けられた案内部材３００は、矩形板３３１に設けられたＵ字切欠き３３３の存在と、また案内部材３００を形成している樹脂がそもそも備える弾性により、前後方向に幾らか圧縮可能となっている。
これにより、案内部材３００の案内部３３８は、その先端を後方に押すことにより後方に押し下げることができるようになっている。
上述したように、案内部材３００は、その後端に設けられた係止板３３４の背面が左リフィル板３１２に設けられた係止部３１２Ｆの前側の面に係止されることにより、その後端が係止部３１２Ｆよりも後方に下がることができないようになっている。したがって、後方に押し下げられた案内部３３８には、常に前方の元の位置に戻ろうとする力がかかった状態となる。
これは案内部３３８に対して、所定の弾性体から常に前向きの力がはたらいている状態と等価である。この実施形態では、案内部３３８と一体となっている矩形板３３１に、上述の弾性体の機能を与えることとしているが、案内部３３８の後方に、案内部３３８とは別体とされた所定の弾性体（例えば、ゴム、金属製のコイルバネ又は板バネ）を配することとすることも可能であり、それにより案内部３３８に対して常に前向きの力を与えることができるようになる。
【００２７】
リフィル本体３１０には、上述した、第１リール、第２リール等が組み付けられる。
リフィル３００からリフィル本体３１０と案内部材３３０とを取り除いたものの斜視図を、図１２に示す。
図１２中３４０が第１リールである。第１リール３４０は、使用前のテープが巻き付けられるリールである。なお、図１２では、テープの記載を省略している。テープは、その外側の面に糊の層を有するようにして、第１リール３４０に巻き付けられている。第１リール３４０は、リフィル本体３１０が備える上述した第１軸３１４に回転可能に軸支された状態で、リフィル本体３１０に収納されている。なお、テープの幅は転写ローラ３２０の左右方向の長さより短い。
第１リール３４０は、歯車である第１ギア３４１と接続されている。第１ギア３４１は第１リール３４０と同軸であり、第１リール３４０の回転とともに回転するようになっている。第１ギア３４１の後側の部分は、上述した連通孔３１１Ｂ２の部分に位置している。
第１ギア３４１は、右リフィル板３１１の凹部３１１Ｂの前方の円形の部分に嵌り込み、且つその前側の部分が上述した連通孔３１１Ｂ２に位置している歯車である伝達ギア３５１と、連通孔３１１Ｂ２の部分で噛み合っている。伝達ギア３５１は、第１ギア３４１の回転を第２リールに、後述する補助ギア及び第２ギアを介して伝達するためのものである。伝達ギア３５１は、凹部３１１Ｂの前方の円形の部分の中心に設けられた円筒形の第３軸３１１Ｂ１に、回転可能に軸支されている。
伝達ギア３５１は、歯車である補助ギア３６１と噛み合っている。補助ギア３６１は、伝達ギア３５１の回転を第２ギアに伝達するためのものである。補助ギア３６１は、右リフィル板３１１の内面に設けられている図示を省略の軸に回転可能に軸支されている。
補助ギア３６１は、歯車である第２ギア３７１と噛み合っている。また、第２ギア３７１は、第２リール３７０と同軸で接続されている。第２ギア３７１は補助ギア３６１の回転を第２リール３７０に伝達するためのものであり、補助ギア３６１が回転すると、それと噛み合っている第２ギア３７１が回転し、第２ギア３７１が回転すると、それにともなって第２リール３７０が回転するようになっている。
第２リール３７０は、転写ローラ３２０によって糊が被転写面に転写された後の、いわば使用後といえるテープを巻き取るためのリールである。
【００２８】
次に、以上で説明した糊転写具の使用方法、及び動作を説明する。
使用前の状態の糊転写具は通常、図１３（Ｂ）に示された状態となっている。この状態では、ケース１００の前方孔１３０は、蓋部材２００の蓋板２３０によって閉じられており、またケース１００に対して後方に移動しているリフィル３００は、ケース１００の内部に収納されている。なお、使用前の状態の、或いは、使用後の使用されていない状態の糊転写具がこのような状態とされるのは、テープに付着している糊をケース１００内に収納することで、糊にゴミ等が粘着することを防止するためである。
ユーザは、蓋部材２００の回転板２１０に設けられた摘み２１１を摘んで、摘み２１１を、図１３における時計回りに回転させる。そうすると、糊転写具は、図１３（Ａ）に示した状態となる。より詳しく説明するのであれば、ユーザが摘み２１１を摘んで、回転板２１０を、時計周りに回転させると、Ｓ字孔３１１Ｃの中に挿入されているピン２１２は、回転板２１０が回転するのとともに回転移動し、下側の位置から、上側の位置にＳ字孔３１１Ｃの長さ方向に沿ってＳ字孔３１１Ｃの中を移動する。それに伴い、ピン２１２がＳ字孔３１１Ｃの前方の縁を前方に押すので、Ｓ字孔３１１Ｃを有するリフィル３００は、ケース１００に対して前方に移動する。
他方、摘み２１１を時計回りに回転させると、蓋板２３０も時計回りに回転し、前方孔１３０の上方にまで移動する。
これにより、リフィル３００の先端側の、本願発明で言うところの転写部に相当する部分は、前方孔１３０を通って、ケース１００の前方に露出した状態となる。
この状態で、糊転写具は使用を行える、つまり、被転写面に対してテープに付着している糊を転写できる状態となる。
【００２９】
糊転写具を用いた被転写面の糊の転写は、所定のデスクの天板の上等の所定の平面の上に置かれた紙の上側の面を被転写面とし、その被転写面に対して糊転写具を移動させることにより行う。
【００３０】
まず、紙の縁ではない部分、つまり被転写面の縁ではない部分に糊を転写する場合について、図１６の模式図を用いて説明する。
通常の糊転写具と同様に、この糊転写具は、糊転写具の後方が高く前方が低くなるように傾けた状態で、テープＴ越しに転写ローラ３２０を紙Ｐの被転写面Ｐ１に押し付けつつ、糊転写具を後方に移動させることによって、テープＴに付着している糊Ｇを被転写面Ｐ１に対して転写するようにして用いる。なお、図１６及び図１７以外のすべての図においては、本来であれば行うべきであっても、テープＴの図示を行っていない。
糊ＧはテープＴの外周の表面に付着している。したがって、テープＴを回転する転写ローラ３２０を用いて被転写面Ｐ１に押圧することで、糊ＧはテープＴから被転写面Ｐ１に転写される。
テープＴが被転写面Ｐ１に転写される際に、転写ローラ３２０は時計回りに回転する。それと同時にテープＴは、図中に矢視した通りの方向に移動する。なお、テープＴは、第１リール３４０の下側から、転写ローラ３２０の下側に至り、次いで転写ローラ３２０によって折り返された後に、転写ローラ３２０から第１リール３４０の上側に至り、第１リール３４０の上側で下方に向きを変えられた後に、第２リール３７０の下方に至るようになっている。かかる道筋を辿るテープＴの移動は、まず、転写ローラ３２０と被転写面Ｐ１との間に挟まれたテープＴが、両者との間の摩擦力によって、第１リール３４０から引出されることによって生じる。
テープＴが第１リール３４０から巻き解かれると、テープＴに引かれて、第１リール３４０が時計回りに回転する。第１リール３４０が回転すると、それにともなって第１ギア３４１も時計回りに回転する。第１ギア３４１が時計回りに回転すると、第１ギア３４１と噛み合っている伝達ギア３５１が反時計回りに回転し、伝達ギア３５１と噛み合っている補助ギア３６１が時計回りに回転し、そして補助ギア３６１と噛み合っている第２ギア３７１が反時計周りに回転する。
そして、第２ギア３７１が反時計回りに回転すると、第２ギア３７１と接続されている第２リール３７０が反時計回りに回転する。それにより、テープＴが第２リール３７０に巻き取られる。上述したように、テープＴに付着している糊Ｇは、転写ローラ３２０と被転写面Ｐ１とがテープＴ越しに接触する部分で被転写面Ｐ１に転写される。第２リール３７０に巻き取られるテープＴは、使用済みのものである。
このように、この実施形態の糊転写具では、テープＴの張力によって第１リール３４０を回転させるとともに、第１リール３４０の回転を、第１ギア３４１、伝達ギア３５１、補助ギア３６１、及び第２ギア３７１を用いて伝達することによって、第１リール３４０と同期が取れた状態で第２リール３７０を回転させることが可能である。それにより、この糊転写具では、第１リール３４０から、第２リール３７０へとテープＴにかかる張力を一定に保ちながら、テープＴを送ることができる。なお、テープＴが使用されるにしたがって、第１リール３４０に巻かれたテープＴの径は小さくなり、第２リール３７０に巻かれたテープＴの径は大きくなり、第２リール３７０でテープＴが巻き取られる早さが徐々に大きくなるから、何らの工夫もないと、テープＴにかかる張力は徐々に大きくなることになる。そのような点を考慮して、例えば、テープＴにかかる張力が過剰となった場合には、第１ギア３４１を第１リール３４０に対して空回りさせることを可能とする等、テープＴにかかる張力が過剰となった場合にテープＴにかかる張力を小さくする工夫をすることもできる。かかる技術は公知であるし、本願発明の本質とは関係がないことであるので、詳述は避ける。
【００３１】
テープＴを転写ローラ３２０によって被転写面Ｐ１に押付けつつ糊転写具を後方に移動させるとき、糊転写具の傾け方の次第にもよるが、案内部材３３０の案内部３３８の先端、つまり顎部３３８Ｂの先端側の部分は被転写面Ｐ１に当接することがありうる。案内部材３３０の案内部３３８は上述のように、案内部材３３０の矩形板３３１が持つ弾性によって後方に移動可能であるから、案内部３３８の先端が被転写面Ｐ１に当接したとしても、案内部３３８が、転写ローラ３２０によるテープＴの被転写面Ｐ１への押付を妨げることはない。
また、案内部３３８は、糊を被転写面Ｐ１に対して転写している最中における糊転写具の進行方向に対して見た場合、転写ローラ３２０がテープＴを介して被転写面Ｐ１と当接する部分よりも後方に位置している。したがって、案内部３３８が進んだ後の被転写面Ｐ１に糊Ｇが転写されることになるから、被転写面Ｐ１に転写された糊Ｇに案内部３３８が接触することにより、転写された糊Ｇが被転写面Ｐ１から剥がれたり、案内部３３８が糊Ｇによって汚れることもない。
【００３２】
なお、案内部３３８は、ケース１００に対して後退可能になっているとはいえ、なるべく被転写面Ｐ１と接触しない方がより好ましいのは当然である。それを可能とするために、案内部３３８の下方の面を、先端に向かって薄くなるように形成するのが良い。図１４の顎部３３８Ｂの先端側の３３８Ｂ１がそれである。
【００３３】
次に、紙Ｐの縁、つまり、被転写面Ｐ１の縁に糊を転写する場合について説明する。
糊転写具を用いて被転写面Ｐ１の縁に糊を転写する場合にユーザがなすべきことは、被転写面Ｐ１の縁でない部分に糊を転写する場合にユーザがなすべきことと大きな違いはない。
ユーザは、糊転写具の後方が高く前方が低くなるように傾けた状態で、テープＴ越しに転写ローラ３２０を紙Ｐの被転写面Ｐ１に押し付けつつ、糊転写具を後方に移動させることにより、糊を被転写面Ｐ１に転写する。
被転写面Ｐ１の縁に糊を転写する場合において、被転写面Ｐ１の縁でない部分に糊を転写する場合と異なるのは、被転写面Ｐ１の縁に糊を転写する場合には、紙Ｐの縁に沿って移動させる糊転写具の紙Ｐの縁に近い側の案内部３３８に紙を係止することである。その様子を、図１７に示す。
図１７は、被転写面Ｐ１の縁に糊を転写する場合の糊転写具を、透明として示した紙Ｐの裏面（被転写面Ｐ１の逆側の面）側から示した図である。このように紙Ｐの縁に、案内部３３８を係止させ、より詳細には、顎部３３８Ｂを、転写ローラ３２０によって被転写面Ｐ１に糊が付されている部分Ｘよりも、糊転写具の進行方向における前側の紙Ｐの下に差し込み、紙Ｐの縁を、矩形板３３１の前面と、延伸部３３８Ａの内側面と、顎部３３８Ｂの背面とによって３方を囲まれた溝に通すことにより、転写ローラ３２０が紙Ｐの縁のぎりぎりを通るようにして、転写ローラ３２０をその溝と紙Ｐの縁によって案内させる。これにより、糊Ｇは、紙Ｐの或いは被転写面Ｐ１の縁に沿って、被転写面Ｐ１からはみ出すことなく、転写されることになる。このとき、これには限られないがこの実施形態では、糊Ｇの上記溝の間を通過している被転写面Ｐ１の縁に近い側の縁から、上記溝の間を通過している被転写面Ｐ１の縁までの幅Ｗは５ｍｍ以下、好ましくは１ｍｍ以下となるようになっている。
なお、図１７では、同図において下側の案内部３３８に紙Ｐの縁を係止することで、同図において、左側から右側へ糊転写具を移動させることにより、糊Ｇを紙Ｐの被転写面Ｐ１に転写するようにしている。他方、紙Ｐの同じ縁を、糊転写具のもう１つの案内部３３８に係止させれば、同図において、右側から左側へ糊転写具を移動させることにより、糊Ｇを紙Ｐの被転写面に転写できるようになる。案内部３３８が、転写ローラ３２０を挟んで２つ存在することで、ユーザは、糊転写具によって被転写面Ｐ１に糊Ｇを転写させる場合の糊転写具の移動方向を紙Ｐの縁に沿う２つの方向から任意に選択できるようになる。これにより、糊転写具を用いて糊の転写を行う際におけるユーザの作業性が高まる。
【００３４】
糊転写具の使用が終わったら、ユーザは摘み２１１を操作して、糊転写具を図１３（Ａ）に示された状態から、図１３（Ｂ）に示された状態に戻す。
なお、テープの使用が終わったら、上述したようにしてケース１００の右ケース部材１１０と左ケース部材１２０とを互いに外してから、ケース１００の中の使用済みのリフィル３００を取出し、新しいリフィル３００と交換すれば良い。その後右ケース部材１１０と左ケース部材１２０とを結合させれば、糊転写具は再び使用可能な状態となる。
【００３５】
なお、以上で説明した糊転写具は、ケース１００に対してリフィル３００を着脱自在としていたが、必ずしもそうする必要はない。
また、以上で説明した糊転写具におけるリフィル３００は、ケース１００に対して前後動自在とされていたが、必ずしもそうする必要はない。
また、以上で説明した糊転写具においては、前方孔１３０を蓋板２３０で開閉できるようにしていたが、必ずしもそうする必要はない。
【００３６】
＜変形例＞
以上説明した糊転写具の変形例について、説明する。
変形例による糊転写具は、以上の実施形態で説明した糊転写具と、その構成と、使用方法及び動作において、殆ど変わるところがない。
変形例による糊転写具は、構成に関して言えば、上述の実施形態においては、リフィル本体３１０に対する後方への移動のみが制限されていた案内部材３３０に設けられた係止板３３４が、リフィル本体３１０に対する後方への移動のみならず前方への移動をも制限されているという点でのみ、上述の実施形態による糊転写具と異なる。
【００３７】
上述の実施形態における糊転写具は、案内部材３３０を備えており、そしてその案内部材３３０は、Ｕ字切欠き３３３を備え、且つそのＵ字切欠き３３３の更に後方に位置する部材の先端には係止板３３４が設けられていた。他方、上述の糊転写具におけるリフィル３００の左リフィル板３１２には、係止部３１２Ｆが設けられていた。そして、案内部材３３０は、リフィル本体３１０に取付けられたときに、係止板３３４の背面がリフィル本体３１０の係止部３１２Ｆの前面に当接させられることにより、案内部材３３０のＵ字切欠き３３３の後方の部材が、後方に移動することを制限させられていた。
それに対して、変形例における糊転写具が有する案内部材３３０は上述の実施形態における糊転写具が備える案内部材３３０と同一であるが、変形例における糊転写具における左リフィル板３１２には、係止部３１２Ｆに加えて、係止部３１２Ｆよりも前方に位置するようにされるとともに、係止部３１２Ｆとの間の隙間が係止板３３４の前後方向の厚さに対応するようにされた、前係止部３１２Ｆ１が設けられている（図１８）。この変形例では、案内部材３３０をリフィル本体３１０に取付けるときに、係止部３１２Ｆと、前係止部３１２Ｆ１との間に、係止板３３４が挿入される。それにより、変形例による糊転写具の場合には、案内部材３３０のＵ字切欠き３３３の後方の部材が、後方に移動することも、前方に移動することも制限させられることになる。
【００３８】
上述のように、案内部材３３０のＵ字切欠き３３３の後方の部材が前方にも後方にも移動できないようになると、案内部材３３０の案内部３３８は、全体として弾性体として機能する案内板３３１に対して前後動が可能となる。つまり、変形例による糊転写具における案内部３３８は、それに後向きの力がかかった場合には、上述の実施形態の場合と同様に、案内板３３１からの弾性力に抗して後方に移動できるようになるばかりでなく、それに前向きの力がかかった場合には、案内板３３１からの弾性力に抗して前方に移動できるようになる。そして、案内部３３８が前方に移動したときにも後方に移動したときにも、案内板３３１には元の形状に復帰しようとする力を生じるので、案内部３３８は、前方に移動したときにも後方に移動したときにも、前向きの力又は後向きの力がなくなった場合には、元の位置に復帰する。
【００３９】
以上の如き変形例における糊転写具の使用方法及び動作は、上述の実施形態によるそれらと殆ど同じである。ただし、糊転写具を用いて、被転写面Ｐ１の縁に糊を転写する場合の案内部材３３０の動作が、上述の実施形態の場合と僅かに異なる。
変形例による糊転写具を用いて、被転写面Ｐ１の縁に糊を転写する場合には、上述の実施形態の糊転写具の場合と同様に、紙Ｐの縁に、案内部３３８を係止させる。このとき、ユーザは、糊転写具の後方が高く前方が低くなるように傾けた状態で、テープＴ越しに転写ローラ３２０を紙Ｐの被転写面Ｐ１に押し付けつつ、糊転写具を後方に移動させるが、ユーザの中には、糊転写具の後方を大抵のユーザがそうするよりも糊転写具の後方がより高くなるように傾ける者がいる。ユーザが糊転写具をそのような態様で使用した場合においては、案内部３３８が前方に移動できないとするのであれば、案内部３３８が紙Ｐの縁を上方（糊転写具の後方方向）に引き上げることにより、紙Ｐの縁に折り目がついたり、或いは紙Ｐの縁が破損するおそれがある。
変形例による糊転写具の場合には、上述のように、案内部３３８に前向きの力がかかった場合には、案内部３３８は、案内板３３１からの弾性力に抗して前方に移動できるようになっているのであるから、ユーザが、糊転写具を使用する際に、糊転写具の後方を高くなるように傾けたとしても、案内部３３８が前方に移動するから、紙Ｐの縁に折り目がついたり、或いは紙Ｐの縁が破損するおそれが抑制される。
【符号の説明】
【００４０】
１００  ケース
１１０  右ケース部材
１２０  左ケース部材
１３０  前方孔
１５１  側面孔
２００  蓋部材
２１０  回転板
２１１  摘み
２１２  ピン
２２０  リブ
２３０  蓋板
３００  リフィル
３１０  リフィル本体
３１１  右リフィル板
３１１Ｂ  凹部
３１１Ｂ１  第３軸
３１１Ｂ２  連通孔
３１１Ｃ  Ｓ字孔
３１２  左リフィル板
３１２Ｅ  ガイド溝
３１２Ｆ  係止部
３１２Ｆ１  前係止部
３１３  接続板
３１４  第１軸
３１５  第２軸
３１６  接続柱
３１８  先端板
３２０  転写ローラ
３３０  案内部材
３３１  矩形板
３３２  小判孔
３３３  Ｕ字切欠き
３３４  係止板
３３５  側板
３３６  受け部
３３７  突出部
３３８  案内部
３３８Ａ  延伸部
３３８Ｂ  顎部
３４０  第１リール
３７０  第２リール
Ｇ  糊
Ｐ  紙
Ｐ１  被転写面
Ｔ  テープ
【図１】
2016210125.tif 000003
【図２】
2016210125.tif 000004
【図３】
2016210125.tif 000005
【図４】
2016210125.tif 000006
【図５】
2016210125.tif 000007
【図６】
2016210125.tif 000008
【図７】
2016210125.tif 000009
【図８】
2016210125.tif 000010
【図９】
2016210125.tif 000011
【図１０】
2016210125.tif 000012
【図１１】
2016210125.tif 000013
【図１２】
2016210125.tif 000014
【図１３】
2016210125.tif 000015
【図１４】
2016210125.tif 000016
【図１５】
2016210125.tif 000017
【図１６】
2016210125.tif 000018
【図１７】
2016210125.tif 000019
【図１８】
2016210125.tif 000020